(57)【要約】【課題】組立作業が良好で、安価な高周波機器の取付構造、及びその取付方法を提供する。【解決手段】本発明の高周波機器の取付構造において、取付部材５は、間隔を置いてガラス面に取り付けられた第１，第２の取付部６，７を有すると共に、第１，第２の取付部６，７のそれぞれは、ガラス１面に取り付けられる平板状の固着部６ａ、７ａと、固着部６ａ、７ａから折り曲げられ、ケース１０を取り付けるための支持部６ｂ、７ｂと、固着部６ａ、７ａから折り曲げられ、第１，第２の取付部６，７間を連結するための連結部８が切断された残部である折曲舌片６ｃ、７ｃを有したため、第１，第２の取付部６，７は、両者が連結された状態でガラス面に取り付けできて、従来に比して、その取付作業が簡単で、生産性が良く、安価なものが得られる。【選択図】        図２
2004327476.tif 000002
【特許請求の範囲】
【請求項１】
ガラス面に取り付けられた板材からなる取付部材と、この取付部材に取り付けられ、高周波回路が形成された回路基板を内蔵する箱形のケースとを備え、前記取付部材は、間隔を置いて前記ガラス面に取り付けられた第１，第２の取付部を有すると共に、前記第１，第２の取付部のそれぞれは、前記ガラス面に取り付けられる平板状の固着部と、前記固着部から折り曲げられ、前記ケースを取り付けるための支持部と、前記固着部から折り曲げられ、前記第１，第２の取付部間を連結するための連結部が切断された残部である折曲舌片を有したことを特徴とする高周波機器の取付構造。
【請求項２】
前記折曲舌片は、前記第１，第２の取付部の前記固着部の互いに対向する位置に１個、或いは複数個設けられたことを特徴とする請求項１記載の高周波機器の取付構造。
【請求項３】
前記固着部と前記折曲舌片との間には、折曲誘発部が設けられたことを特徴とする請求項１、又は２記載の高周波機器の取付構造。
【請求項４】
前記支持部が前記ケース内に位置した状態で、前記ケースを支持したことを特徴とする請求項１から３の何れかに記載の高周波機器の取付構造。
【請求項５】
前記固着部は、半田付、或いは、接着剤によって前記ガラス面に取り付けられたことを特徴とする請求項１から４の何れかに記載の高周波機器の取付構造。
【請求項６】
前記ガラスには、アンテナと、このアンテナに接続された給電部が設けられ、前記高周波回路の入力部が前記給電部に接続されたことを特徴とする請求項１から５の何れかに記載の高周波機器の取付構造。
【請求項７】
前記高周波回路は、広帯域増幅回路で構成されると共に、前記ケースが自動車内の前記ガラス面に前記取付部材を介して取り付けられたことを特徴とする請求項６記載の高周波機器の取付構造。
【請求項８】
ガラス面に取り付けられた板材からなる取付部材と、この取付部材に取り付けられ、高周波回路が形成された回路基板を内蔵する箱形のケースとを備え、前記取付部材は、互いに連結部で連結された第１，第２の取付部を有し、前記第１，第２の取付部が前記ガラス面に取り付けられた後、前記連結部が切断されて、前記第１，第２の取付部が分離されるようにしたことを特徴とする高周波機器の取付方法。
【請求項９】
前記第１，第２の取付部のそれぞれは、前記ガラス面に取り付けられる平板状の固着部と、前記固着部から折り曲げられ、前記ケースを取り付けるための支持部と、前記固着部から折り曲げられ、前記第１，第２の取付部間を連結するための１個、或いは複数個の前記連結部を有し、前記連結部が切断されたことを特徴とする請求項８記載の高周波機器の取付方法。
【請求項１０】
前記連結部は、前記第１，第２の取付部の前記固着部から折り曲げられた折曲舌片と、前記第１，第２の取付部の前記折曲舌片同士を繋ぐ繋ぎ部を有し、前記連結部は、前記第１，第２の取付部の前記折曲舌片の位置で切断されたことを特徴とする請求項９記載の高周波機器の取付方法。
【請求項１１】
前記折曲舌片は、前記第１，第２の取付部の前記固着部の互いに対向する位置に配置されたことを特徴とする請求項１０記載の高周波機器の取付方法。
【請求項１２】
前記連結部が切断された後、前記ケースが前記取付部材に取り付けられたことを特徴とする請求項８から１１の何れかに記載の高周波機器の取付方法。
【発明の詳細な説明】
【０００１】
【発明の属する技術分野】
本発明は自動車等の移動物体に使用される広帯域増幅器等に適用して好適な高周波機器の取付構造、及びその取付方法に関する。
【０００２】
【従来の技術】
従来の高周波機器の取付構造、及びその取付方法について説明すると、図６は従来の高周波機器の取付構造、及びその取付方法を示す分解斜視図で、先ず、従来の高周波機器の取付構造の構成を説明すると、自動車の窓用のガラス５１には、アンテナ５２と、このアンテナ５２の一端に接続され、導電ペーストで形成された給電部５３と、導電ペーストで形成された導電層５４が設けられている。
【０００３】
２枚の給電端子５５，５６は、それぞれ平板部５５ａ、５６ａと、この平板部５５ａ、５６ａから折り曲げられた支持部５５ｂ、５６ｂを有し、この給電端子５５，５６は、その平板部５５ａ、５６ａが給電部５３上に半田付けされて、取り付けられている。
【０００４】
２枚のアース端子５７，５８は、それぞれ平板部５７ａ、５８ａと、この平板部５７ａ、５８ａから折り曲げられた支持部５７ｂ、５８ｂを有し、このアース端子５７，５８は、その平板部５７ａ、５８ａが導電層５４上に半田付けされて、取り付けられている。
【０００５】
高周波機器５９は、金属板からなる箱形のケース６０と、所望の高周波回路（図示せず）が形成されたプリント基板からなる回路基板６１と、この回路基板６１に取り付けられたＬ字状の入力端子６２で構成されている。
【０００６】
そして、回路基板６１は、ケース６０内に収納された状態で、ケース６０に適宜手段により取り付けられて、高周波機器５９が形成され、この高周波機器５９の一方では、回路基板６１に取り付けられた入力端子６２が給電端子５５，５６の支持部５５ｂ、５６ｂ間に挟持されて、導通した状態で支持されている。
【０００７】
また、高周波機器５９の他方では、ケース６０の一つの側壁６０ａがアース端子５７，５８の支持部５７ｂ、５８ｂ間に挟持されて、導通した状態で支持されている。
即ち、高周波機器５９は、入力端子６２とケース６０とが端子５５，５６，及び５７，５８間に挟持されて取り付けられた構成となっている。
【０００８】
次に、従来の高周波機器の取付方法を説明すると、先ず、２枚の給電端子５５，５６が給電部５３に半田付けされると共に、２枚のアース端子５７，５８が導電層５４に半田付けされる。
【０００９】
次に、入力端子６２が２枚の給電端子５５，５６間に差し込まれて、挟持されると共に、ケース６０が２枚のアース端子５７，５８間に差し込まれて、挟持されると、高周波機器５９の取付が完了する。（例えば、特許文献１参照）
【００１０】
そして、このような従来の高周波機器の取付構造、及びその取付方法は、２枚の給電端子５５，５６と、この給電端子５５，５６と分離された２枚のアース端子５７，５８がガラス５１に取り付けられた構成であるため、外部環境の温度変化によってガラス５１が膨張、収縮しても、給電端子５５，５６、及びアース端子５７，５８は、ガラス５１からの剥がれが無くなる。
【００１１】
しかし、２枚の給電端子５５，５６と、この給電端子５５，５６と分離された２枚のアース端子５７，５８は、それぞれ別々にガラス５１に取り付けられるため、その取付作業が面倒で、生産性が悪く、コスト高になる。
【００１２】
【特許文献１】
特開平６−２９１５２９号公報
【００１３】
【発明が解決しようとする課題】
従来の高周波機器の取付構造、及びその取付方法は、２枚の給電端子５５，５６と、この給電端子５５，５６と分離された２枚のアース端子５７，５８は、それぞれ別々にガラス５１に取り付けられるため、その取付作業が面倒で、生産性が悪く、コスト高になるという問題がある。
【００１４】
そこで、本発明は組立作業が良好で、安価な高周波機器の取付構造、及びその取付方法を提供することを目的とする。
【００１５】
【課題を解決するための手段】
上記課題を解決するための第１の解決手段として、ガラス面に取り付けられた板材からなる取付部材と、この取付部材に取り付けられ、高周波回路が形成された回路基板を内蔵する箱形のケースとを備え、前記取付部材は、間隔を置いて前記ガラス面に取り付けられた第１，第２の取付部を有すると共に、前記第１，第２の取付部のそれぞれは、前記ガラス面に取り付けられる平板状の固着部と、前記固着部から折り曲げられ、前記ケースを取り付けるための支持部と、前記固着部から折り曲げられ、前記第１，第２の取付部間を連結するための連結部が切断された残部である折曲舌片を有した構成とした。
【００１６】
また、第２の解決手段として、前記折曲舌片は、前記第１，第２の取付部の前記固着部の互いに対向する位置に１個、或いは複数個設けられた構成とした。
また、第３の解決手段として、前記固着部と前記折曲舌片との間には、折曲誘発部が設けられた構成とした。
【００１７】
また、第４の解決手段として、前記支持部が前記ケース内に位置した状態で、前記ケースを支持した構成とした。
また、第５の解決手段として、前記固着部は、半田付、或いは、接着剤によって前記ガラス面に取り付けられた構成とした。
【００１８】
また、第６の解決手段として、前記ガラスには、アンテナと、このアンテナに接続された給電部が設けられ、前記高周波回路の入力部が前記給電部に接続された構成とした。
また、第７の解決手段として、前記高周波回路は、広帯域増幅回路で構成されると共に、前記ケースが自動車内の前記ガラス面に前記取付部材を介して取り付けられた構成とした。
【００１９】
また、第８の解決手段として、ガラス面に取り付けられた板材からなる取付部材と、この取付部材に取り付けられ、高周波回路が形成された回路基板を内蔵する箱形のケースとを備え、前記取付部材は、互いに連結部で連結された第１，第２の取付部を有し、前記第１，第２の取付部が前記ガラス面に取り付けられた後、前記連結部が切断されて、前記第１，第２の取付部が分離されるようにした取付方法とした。
【００２０】
また、第９の解決手段として、前記第１，第２の取付部のそれぞれは、前記ガラス面に取り付けられる平板状の固着部と、前記固着部から折り曲げられ、前記ケースを取り付けるための支持部と、前記固着部から折り曲げられ、前記第１，第２の取付部間を連結するための１個、或いは複数個の前記連結部を有し、前記連結部が切断された取付方法とした。
【００２１】
また、第１０の解決手段として、前記連結部は、前記第１，第２の取付部の前記固着部から折り曲げられた折曲舌片と、前記第１，第２の取付部の前記折曲舌片同士を繋ぐ繋ぎ部を有し、前記連結部は、前記第１，第２の取付部の前記折曲舌片の位置で切断された取付方法とした。
【００２２】
また、第１１の解決手段として、前記折曲舌片は、前記第１，第２の取付部の前記固着部の互いに対向する位置に配置された取付方法とした。
また、第１２の解決手段として、前記連結部が切断された後、前記ケースが前記取付部材に取り付けられた取付方法とした。
【００２３】
【発明の実施の形態】
本発明の高周波機器の取付構造、及びその取付方法の図面を説明すると、図１は本発明の高周波機器の取付構造を示す斜視図、図２は本発明の高周波機器の取付構造の要部の断面図、図３は本発明の高周波機器の取付構造を示す要部の分解斜視図である。
【００２４】
また、図４は本発明の高周波機器の取付方法を示す要部の分解斜視図、図５は本発明の高周波機器の取付構造、及びその取付方法の他の実施例を示す要部の断面図である。
【００２５】
次に、本発明の高周波機器の取付構造の構成を図１〜図３に基づいて説明すると、自動車の窓用のガラス１には、ガラス１の表面、或いはガラス１の積層間に形成されたアンテナ２と、このアンテナ２の一端に接続され、ガラス１の表面に導電ペーストで形成された給電部３と、ガラス１の表面に導電ペーストで形成された導電層４が設けられている。
【００２６】
そして、給電部３と導電層３は、自動車内のガラス１に形成されている。
なお、この実施例では、自動車に適用したもので説明したが、自動車以外の船舶等の移動物体に適用しても良い。
【００２７】
金属板等からなる板材が折曲形成された取付部材５は、第１，第２の取付部６，７で形成されている。
この第１，第２の取付部６，７のそれぞれは、平板状の固着部６ａ、７ａと、この固着部６ａ、７ａの一端から折曲形成された支持部６ｂ、７ｂと、固着部６ａ、７ａから折り曲げられ、固着部６ａ、７ａの対向する位置に１個、或いは複数個設けられた折曲舌片６ｃ、７ｃと、支持部６ｂ、７ｂに設けられた孔６ｄ、７ｄを有する。
【００２８】
また、図４に基づいて、後述するように、第１，第２の取付部６，７を連結する連結部８は、折曲舌片６ｃ、７ｃと、この折曲舌片６ｃ、７ｃ間を繋ぎ、固着部６ａ、７ａよりも上方に位置した繋ぎ部８ａとで形成され、連結部８が折曲舌片６ｃ、７ｃの位置で切断された後の残部として、折曲舌片６ｃ、７ｃが存在するものである。
【００２９】
そして、このような第１，第２の取付部６，７は、互いに間隔を置いた状態で、固着部６ａ、７ａが導電層４に半田付けして、取付（固着）されている。
なお、この実施例では、第１，第２の取付部６，７が導電層４に半田付けされたもので説明したが、導電層４を無くし、固着部６ａ、７ａが接着剤によってガラス１の表面に直接、接着されるようにしても良い。
【００３０】
また、ここでは図示しないが、固着部６ａ、７ａと折曲舌片６ｃ、７ｃの間の折り曲げ位置には、Ｖ溝等の切り込み部からなる折曲誘発部が設けられ、折曲舌片６ｃ、７ｃを折曲する際に、この折曲誘発部によって、折曲舌片６ｃ、７ｃが容易に折曲できるようになっている。
【００３１】
高周波機器９は、金属板からなる箱形のケース１０と、電子部品１３やコネクタ部１４が搭載されて、所望の高周波回路（図示せず）が形成されたプリント基板からなる回路基板１５等とで構成されている。
【００３２】
上述のケース１０は、四方が側板で囲まれると共に、上下部が開放したロ字状の金属板からなる枠体１１と、この枠体１１の上方部の開放部を覆う金属板からなる蓋体１２とで構成されている。
そして、枠体１１は、下方部に形成された複数個の孔１１ａと、上下部の端部に設けられた切り欠き部１１ｂを有する。
【００３３】
また、回路基板１５には、インピーダンス調整用回路、増幅回路、分波回路等を含む広帯域増幅回路からなる電気回路が形成されており、この広帯域増幅回路は、アンテナ２とラジオ受信機やテレビ受像機等の電子機器との間に設置され、アンテナ２からの受信電波を増幅するものである。
【００３４】
この回路基板１５は、ケース１０内に収納された状態で、ケース１０の枠体１１に適宜手段により取り付けられて、高周波機器９が形成されている。
また、この高周波機器９は、入力用の同軸型のケーブル１６を有し、このケーブル１６は、一端がコネクタ部１４に接続されると共に、切り欠き部１１ｂを通ってケース１０外に引き回され、他端が給電部４に半田付けされている。
【００３５】
更に、高周波機器９の電気回路には、給電用の同軸型のケーブル１７と、出力用の同軸型のケーブル１８が接続されて、それぞれのケーブル１７，１８がケース１０外に導出された状態となっている。
【００３６】
そして、このような構成を有する高周波機器９は、支持部６ｃ、７ｃを外側に位置した状態で、枠体１１を支持部６ｃ、７ｃ間に配置して、ネジ等からなる固定部材１９が孔６ｄ、７ｄ、１１ａにねじ込まれて、取付部材５に取り付けられる。
なお、固定部材１９は、ネジ以外の接着剤や折曲手段等を用いても良い。
【００３７】
次に、本発明の高周波機器の取付方法を説明すると、図４に示すように、取付部材５の第１，第２の取付部６，７は、折曲舌片６ｃ、７ｃと、この折曲舌片６ｃ、７ｃ間を繋ぎ、固着部６ａ、７ａよりも上方に位置した繋ぎ部８ａとで形成された連結部８で連結されている。
【００３８】
この状態で、第１，第２の取付部６，７の固着部６ａ、７ａが導電層４に同時に半田付けされた後、折曲舌片６ｃ、７ｃの位置で切断して、連結部８を切り離して、第１，第２の取付部６，７を分離する。
【００３９】
しかる後、枠体１１を支持部６ｃ、７ｃ間に配置して、ネジ等からなる固定部材１９が孔６ｄ、７ｄ、１１ａにねじ込まれて、高周波機器９が取付部材５に取り付けられると、高周波機器９の取付が完了する。
【００４０】
この組立時において、入力用のケーブル１６は、予め給電部４に半田付けされた状態で、取付部材５の組み込みを行い、しかる後、枠体１１が取付部材５に取り付けられた後、ケーブル１６が枠体１１外に引き回されると共に、ケーブル１６に接続されたコネクタ部１４が回路基板１５上のコネクタ部１４に接続され、その後、蓋体１２が枠体１１に取り付けられるようになっている。
【００４１】
また、図５は本発明の高周波機器の取付構造、及びその取付方法の他の実施例を示し、この他の実施例は、第１，第２の取付部６，７の支持部６ｂ、７ｂが枠体１１内に位置した状態で、ケース１０が固定部材１９によって取付部材５に取り付けられたものである。
【００４２】
その他の構成は、前記実施例と同様であるので、同一部品に同一番号を付し、ここではその説明を省略する。
【００４３】
【発明の効果】
本発明の高周波機器の取付構造は、ガラス面に取り付けられた板材からなる取付部材と、この取付部材に取り付けられ、高周波回路が形成された回路基板を内蔵する箱形のケースとを備え、取付部材は、間隔を置いてガラス面に取り付けられた第１，第２の取付部を有すると共に、第１，第２の取付部のそれぞれは、ガラス面に取り付けられる平板状の固着部と、固着部から折り曲げられ、ケースを取り付けるための支持部と、固着部から折り曲げられ、第１，第２の取付部間を連結するための連結部が切断された残部である折曲舌片を有したため、取付部材の第１，第２の取付部は、両者が連結された状態でガラス面に取り付けできて、従来に比して、その取付作業が簡単で、生産性が良く、安価なものが得られる。また、第１，第２の取付部が分離しているため、外部環境の温度変化によってガラスが膨張、収縮しても、第１，第２の取付部同士のストレスが無く、ガラスからの第１，第２の取付部の剥がれの無いものが提供できる。
【００４４】
また、折曲舌片は、第１，第２の取付部の固着部の互いに対向する位置に１個、或いは複数個設けられたため、第１，第２の取付部を同じ構成にできて、その生産が簡単であると共に、第１，第２の取付部のガラス面への取付に際して、互換性があって、取付方向を選定する必要が無く、従って、取付作業の容易なものが得られる。
【００４５】
また、固着部と折曲舌片との間には、折曲誘発部が設けられたため、連結部である折曲舌片の折曲が容易となって、生産性の良好なものが得られる。
【００４６】
また、支持部がケース内に位置した状態で、ケースを支持したため、外観の良好なものが提供できる。
【００４７】
また、固着部は、半田付、或いは、接着剤によってガラス面に取り付けられたため、その取付が確実であると共に、扁平な取付状態を得ることができる。
【００４８】
また、ガラスには、アンテナと、このアンテナに接続された給電部が設けられ、高周波回路の入力部が給電部に接続されたため、特に、移動物体に使用して好適なものが得られる。
【００４９】
また、高周波回路は、広帯域増幅回路で構成されると共に、ケースが自動車内のガラス面に取付部材を介して取り付けられたため、特に、自動車に使用して好適なものが得られる。
【００５０】
また、ガラス面に取り付けられた板材からなる取付部材と、この取付部材に取り付けられ、高周波回路が形成された回路基板を内蔵する箱形のケースとを備え、取付部材は、互いに連結部で連結された第１，第２の取付部を有し、第１，第２の取付部がガラス面に取り付けられた後、連結部が切断されて、第１，第２の取付部が分離されるようにしたため、従来に比して、その取付作業が簡単で、生産性が良く、安価な取付方法が得られる。
【００５１】
また、第１，第２の取付部のそれぞれは、ガラス面に取り付けられる平板状の固着部と、固着部から折り曲げられ、ケースを取り付けるための支持部と、固着部から折り曲げられ、第１，第２の取付部間を連結するための１個、或いは複数個の連結部を有し、連結部が切断されたため、連結部が固着部から離れた（上方）位置となって、連結部の切断の容易なものが得られる。
【００５２】
また、連結部は、第１，第２の取付部の固着部から折り曲げられた折曲舌片と、第１，第２の取付部の折曲舌片同士を繋ぐ繋ぎ部を有し、連結部は、第１，第２の取付部の折曲舌片の位置で切断されたため、連結部の切断の一層容易なものが得られる。
【００５３】
また、折曲舌片は、第１，第２の取付部の固着部の互いに対向する位置に配置されたため、第１，第２の取付部を同じ構成にできて、その生産が簡単であると共に、第１，第２の取付部のガラス面への取付に際して、互換性があって、取付方向を選定する必要が無く、従って、取付作業の容易なものが得られる。
【００５４】
また、連結部が切断された後、ケースが取付部材に取り付けられたため、ケースの組み込み際して、連結部が邪魔になることが無く、組立性の良好なものが得られる。
【図面の簡単な説明】
【図１】本発明の高周波機器の取付構造を示す斜視図。
【図２】本発明の高周波機器の取付構造の要部の断面図。
【図３】本発明の高周波機器の取付構造を示す要部の分解斜視図。
【図４】本発明の高周波機器の取付方法を示す要部の分解斜視図。
【図５】本発明の高周波機器の取付構造、及びその取付方法の他の実施例を示す要部の断面図。
【図６】従来の高周波機器の取付構造、及びその取付方法を示す分解斜視図。
【符号の説明】
１  ガラス
２  アンテナ
３  給電部
４  導電層
５  取付部材
６  第１の取付部
６ａ  固着部
６ｂ  支持部
６ｃ  折曲舌片
６ｄ  孔
７  第２の取付部
７ａ  固着部
７ｂ  支持部
７ｃ  折曲舌片
７ｄ  孔
８  連結部
８ａ  繋ぎ部
９  高周波機器
１０  ケース
１１  枠体
１１ａ  孔
１１ｂ  切り欠き部
１２  蓋体
１３  電子部品
１４  コネクタ部
１５  回路基板
１６  ケーブル
１７  ケーブル
１８  ケーブル
１９  固着部材
【図１】
2004327476.tif 000003
【図２】
2004327476.tif 000004
【図３】
2004327476.tif 000005
【図４】
2004327476.tif 000006
【図５】
2004327476.tif 000007
【図６】
2004327476.tif 000008